(57)【要約】【課題】携帯端末を使用して患者の医用情報や医用画像を参照する際に、当該携帯端末の操作者が患者を取り違えて認識することを防止すること。【解決手段】実施形態の医用処理装置は、各携帯端末の現在位置を示す位置情報に基づいて、当該各携帯端末間の距離が所定の閾値未満であるか否かを判定する。また、前記各携帯端末が同一の患者識別情報を有した医用情報を表示しているか否かを判定する。更に、前記判定結果が閾値未満である旨を示し、かつ前記判定結果が否を示すとき、前記各携帯端末に対して、異なる患者識別情報を有した医用情報を表示する携帯端末が近くに存在する旨を当該各携帯端末の操作者に通知するよう指示する。【選択図】図１
2015031985.tif 000002
【特許請求の範囲】
【請求項１】
患者識別情報を付帯情報として有する医用情報を記憶するサーバ装置と、前記医用情報を表示可能な複数の携帯端末と通信可能に接続される医用処理装置であって、
前記各携帯端末の現在位置を示す位置情報に基づいて、当該各携帯端末間の距離が所定の閾値未満であるか否かを判定する第１判定手段と、
前記各携帯端末が同一の患者識別情報を有した医用情報を表示しているか否かを判定する第２判定手段と、
前記第１判定手段での判定結果が閾値未満である旨を示し、かつ前記第２判定手段での判定結果が否を示すとき、前記各携帯端末に対して、異なる患者識別情報を有した医用情報を表示する携帯端末が近くに存在する旨を当該各携帯端末の操作者に通知するよう指示する通知指示手段と
を備えたことを特徴とする医用処理装置。
【請求項２】
請求項１に記載の医用処理装置において、
前記第２判定手段での判定結果が同一である旨を示すとき、前記各携帯端末に対して、表示させる医用情報を互いに同期させるグルーピング処理の実行を当該各携帯端末の操作者に提案するよう指示する同期指示手段をさらに備えたことを特徴とする医用処理装置。
【請求項３】
請求項１または請求項２に記載の医用処理装置において、
前記各携帯端末から送信される端末識別情報を含むグルーピング登録要求に応じて、当該端末識別情報により識別される各携帯端末に対し、表示させる医用情報を互いに同期させるグルーピング処理を実行する同期登録手段をさらに備えたことを特徴とする医用処理装置。
【請求項４】
請求項３に記載の医用処理装置において、
前記各携帯端末から送信される端末識別情報を含むグルーピング解除要求に応じて、当該端末識別情報により識別される各携帯端末に対して実行された前記グルーピング処理を無効にする同期解除手段をさらに備えたことを特徴とする医用処理装置。
【請求項５】
請求項１乃至請求項４のいずれか１項に記載の医用処理装置において、
前記各携帯端末から送信される患者識別情報を含む情報取得要求に応じて、当該患者識別情報を有した医用情報を前記サーバ装置から取得する医用情報取得手段と、
前記情報取得要求を送信した携帯端末である情報取得要求端末に対し、前記取得した医用情報を送信する医用情報送信手段と、
前記情報取得要求端末に対し、表示させる医用情報を互いに同期させるグルーピング処理を実行した携帯端末が存在するか否かを判定する第３判定手段と、
前記第３判定手段での判定結果が存在する旨を示すとき、前記情報取得要求端末と前記グルーピング処理を実行した携帯端末に対し、当該情報取得要求端末に対して送信した医用情報を特定するための特定情報を送信する特定情報送信手段と
をさらに備えたことを特徴とする医用処理装置。
【請求項６】
患者識別情報を付帯情報として有する医用情報を記憶するサーバ装置と通信可能に接続される医用処理装置と、前記医用情報を表示可能な複数の携帯端末とを含む医用処理システムであって、
前記医用処理装置は、
前記各携帯端末の現在位置を示す位置情報に基づいて、当該各携帯端末間の距離が所定の閾値未満であるか否かを判定する第１判定手段と、
前記各携帯端末が同一の患者識別情報を有した医用情報を表示しているか否かを判定する第２判定手段と、
前記第１判定手段での判定結果が閾値未満である旨を示し、かつ前記第２判定手段での判定結果が否を示すとき、前記各携帯端末に対して、異なる患者識別情報を有した医用情報を表示する携帯端末が近くに存在する旨を当該各携帯端末の操作者に通知するよう指示する通知指示手段と
を備え、
前記各携帯端末は、
前記通知指示手段からの指示に応じて、異なる患者識別情報を有した医用情報を表示する携帯端末が近くに存在する旨を操作者に対して通知する通知手段
を備えたことを特徴とする医用処理システム。
【発明の詳細な説明】
【技術分野】
【０００１】
本発明の実施形態は、医用処理装置及び医用処理システムに関する。
【背景技術】
【０００２】
近年、医用情報（例、電子カルテ等）や医用画像を参照する際に、スマートフォンやタブレット端末といった可搬型端末（以下、携帯端末と表記）を使用する機会が増えてきている。携帯端末は、ネットワーク（例、院内ネットワーク等）を介して、医用情報や医用画像を記憶する病院内のサーバ装置に接続されており、このネットワークを利用して各種情報を適宜読み出し、当該読み出した各種情報を表示画面に表示させる。
【０００３】
また、医用情報や医用画像を記憶するサーバ装置を病院内ではなく外部に設けることで、携帯端末は、外部ネットワーク（例、インターネット等）を介して、各種情報を適宜読み出し、当該読み出した各種情報を表示画面に表示させることもできる。
【０００４】
これにより、携帯端末の操作者（例、医師、研究者等）は院内外問わず、医用情報や医用画像を参照することができる。
【先行技術文献】
【特許文献】
【０００５】
【特許文献１】特開２０１３−０４７９４０号公報
【発明の概要】
【発明が解決しようとする課題】
【０００６】
しかしながら、以上のように携帯端末を使用して医用情報や医用画像を参照する場合、次のような不都合が生じ得る。
【０００７】
例えば、所定の操作者が参照可能な医用情報や医用画像とは別の医用情報や医用画像を表示できる携帯端末が所定の操作者の近くに存在する場合（例、複数の医師や研究者が集まっての意見交換会等）を想定する。
【０００８】
このような場合、異なる患者の医用情報や医用画像を表示した複数の携帯端末を、複数の医師や研究者間で交換しながら意見交換を行うことが想定され、この意見交換の過程で、医師や研究者が患者を取り違えて認識してしまう心配がある。
【０００９】
目的は、携帯端末を使用して患者の医用情報や医用画像を参照する際に、当該携帯端末の操作者が患者を取り違えて認識することを防止し得る医用処理装置及び医用処理システムを提供することである。
【課題を解決するための手段】
【００１０】
実施形態の医用処理装置は、患者識別情報を付帯情報として有する医用情報を記憶するサーバ装置と、前記医用情報を表示可能な複数の携帯端末と通信可能に接続される装置である。
【００１１】
前記医用処理装置は、第１判定手段、第２判定手段及び通知指示手段を備えている。
【００１２】
前記第１判定手段は、前記各携帯端末の現在位置を示す位置情報に基づいて、当該各携帯端末間の距離が所定の閾値未満であるか否かを判定する。
【００１３】
前記第２判定手段は、前記各携帯端末が同一の患者識別情報を有した医用情報を表示しているか否かを判定する。
【００１４】
前記通知指示手段は、前記第１判定手段での判定結果が閾値未満である旨を示し、かつ前記第２判定手段での判定結果が否を示すとき、前記各携帯端末に対して、異なる患者識別情報を有した医用情報を表示する携帯端末が近くに存在する旨を当該各携帯端末の操作者に通知するよう指示する。
【図面の簡単な説明】
【００１５】
【図１】一実施形態に係る医用処理システムの概略構成例を示す模式図である。
【図２】同実施形態に係る端末位置情報のデータ構造の一例を示す模式図である。
【図３】同実施形態に係る参照状況情報のデータ構造の一例を示す模式図である。
【図４】同実施形態に係るグルーピング情報のデータ構造の一例を示す模式図である。
【図５】同実施形態に係る医用処理装置による警告通知処理の一例を示すフローチャートである。
【図６】同実施形態に係る医用処理装置による医用情報表示処理の一例を示すフローチャートである。
【発明を実施するための形態】
【００１６】
以下、図面を参照して、一実施形態について説明する。なお、本実施形態では、スマートフォンやタブレット端末といった「可搬型端末」を「携帯端末」と表記して説明する。
【００１７】
図１は、一実施形態に係る医用処理システムの概略構成例を示す模式図であり、図２〜図４は、同実施形態に係る各種情報のデータ構造の一例を示す模式図である。医用処理システムは、図１に示すように、複数の携帯端末１Ａ，１Ｂ，…，１Ｎ及び医用処理装置２を備えており、各携帯端末１Ａ〜１Ｎ及び医用処理装置２はネットワーク３を介して接続される。なお、本実施形態に係る医用処理装置２は、ネットワーク３を介して、医用情報や医用画像（以下、単に「医用情報」と表記）を記憶する図示しないサーバ装置に接続されているものと仮定する。また、このサーバ装置に記憶される医用情報は、どの患者に関する医用情報であるかを識別するための患者識別情報を付帯情報として有しているもの（例、ＤＩＣＯＭ（Digital Imaging Communications and Medicine）規格に準拠した医用画像等）と仮定する。
【００１８】
以下に、各携帯端末１Ａ〜１Ｎ及び医用処理装置２の詳細な構成とその機能について説明する。なお、各携帯端末１Ａ〜１Ｎの機能ブロック構成は、互いに同一のため、ここでは携帯端末１Ａの機能ブロック構成を代表例に挙げて説明する。
【００１９】
携帯端末１Ａは、図１に示すように、端末位置取得連絡部１１Ａ、情報表示部１２Ａ及び情報表示管理部１３Ａを備えている。なお、各部１１Ａ〜１３Ａの説明は、符号の末尾のＡをＢやＮに適宜読み替えることにより、他の携帯端末１Ｂ，１Ｎの各部１１Ｂ〜１３Ｂ，１１Ｎ〜１３Ｎの説明として読み替え可能となっている。
【００２０】
端末位置取得連絡部１１Ａは、一定時間毎に、携帯端末１Ａの現在位置を示す位置情報を取得する。また、端末位置取得連絡部１１Ａは、取得した位置情報を、自携帯端末１Ａを識別するための端末識別情報と共に、医用処理装置２に送信（連絡）する。
【００２１】
なお、位置情報の取得方法としては、例えば、一般的な携帯端末に搭載されているＧＰＳ（Global Positioning System）機能を使用して位置情報を取得する方法や、Ｗｉ−Ｆｉ（登録商標）装置のＭＡＣ（Media Access Control）アドレス情報に対応付けられた位置情報と電波の強度を利用して位置情報を取得する方法、Bluetooth（登録商標）を利用して位置情報を取得する方法等がある。本実施形態では、端末位置取得連絡部１１Ａは、地球の重心に原点をおいたＷＧＳ（World Geodetic System）−８４座標系で３次元直交座標（ｘ，ｙ，ｚ）を位置情報として取得するものとする。
【００２２】
情報表示部１２Ａは、情報表示管理部１３Ａから送出される医用情報の入力を受け付けると、当該入力を受け付けた医用情報を表示画面に表示させる。また、情報表示部１２Ａは、情報表示管理部１３Ａから送出される各種メッセージ情報の入力を受け付けると、当該入力を受け付けた各種メッセージ情報を表示画面に表示させる。
【００２３】
情報表示管理部１３Ａは、操作者の操作に応じて、表示画面に表示させる医用情報を取得したい旨の情報取得要求を、当該医用情報が付帯情報として有する患者識別情報と共に、医用処理装置２に送信する。また、情報表示管理部１３Ａは、前述の情報取得要求に応じて医用処理装置２から送信される医用情報の入力を受け付けると、当該入力を受け付けた医用情報を情報表示部１２Ａに送出する。
【００２４】
更に、情報表示管理部１３Ａは、医用処理装置２からの指示に応じて、異なる患者識別情報を付帯情報として有した医用情報を表示している携帯端末が近くに存在する旨を操作者に対して通知（警告）する。例えば、情報表示管理部１３Ａは、医用処理装置２からの指示に応じて、異なる患者識別情報を付帯情報として有した医用情報を表示している携帯端末が近くに存在する旨のメッセージ情報を、情報表示部１２Ａを介して表示画面に表示させる。これにより、患者を取り違えて認識しないよう操作者に対して注意を促すことができる。
【００２５】
また、情報表示管理部１３Ａは、医用処理装置２からの指示に応じて、当該携帯端末１Ａの近くに存在する携帯端末と同一の医用情報を（連携して）表示画面に表示させる（すなわち、表示画面に表示させる医用情報を互いに同期させる）グルーピング処理の実行を提案する旨のメッセージ情報を、情報表示部１２Ａを介して表示画面に表示させる。更に、情報表示管理部１３Ａは、操作者の操作に応じて、グルーピング処理を実行する旨のグルーピング登録要求を、自携帯端末１Ａ及び表示させる医用情報を同期させる携帯端末を識別するための端末識別情報と共に、医用処理装置２に送信する。また、情報表示管理部１３Ａは、操作者の操作に応じて、既に実行したグルーピング処理を解除したい（無効にする）旨のグルーピング解除要求を、自携帯端末１Ａを識別するための端末識別情報と共に、医用処理装置２に送信する。
【００２６】
更に、情報表示管理部１３Ａは、情報取得要求を送信した異なる携帯端末に対して医用処理装置２から送信された医用情報（すなわち、情報取得要求を送信した異なる携帯端末が取得した医用情報）を特定するための特定情報の入力を受け付けると、当該入力を受け付けた特定情報を、図示しないサーバ装置に送信し、情報取得要求を送信した携帯端末と同一の医用情報をサーバ装置から取得する。
【００２７】
医用処理装置２は、図１に示すように、端末位置保持部２１、参照状況管理部２２、端末間距離計算部２３、グルーピング管理部２４及び情報表示管理部２５を備えている。
【００２８】
端末位置保持部２１は、携帯端末１Ａ〜１Ｎから送信された端末識別情報及び位置情報の入力を受け付けると、当該入力を受け付けた端末識別情報及び位置情報を、端末位置保持部２１内の図示しないメモリ（Memory）に書込む（記録する）。すなわち、端末位置保持部２１は、図２に示すように、医用処理装置２にネットワーク３を介して接続されている携帯端末を識別するための端末識別情報と、これら携帯端末の現在位置を示す位置情報とが関連付けられた端末位置情報を保持する。
【００２９】
また、端末位置保持部２１は、既に保持する端末位置情報に含まれる端末識別情報により識別される携帯端末から送信される新たな位置情報の入力を受け付けると、当該端末位置情報に含まれる位置情報を、当該入力を受け付けた新たな位置情報に更新する。更に、端末位置保持部２１は、予め設定された一定時間が経過しても、既に保持する端末位置情報に含まれる端末識別情報により識別される携帯端末からの新たな位置情報の入力を受け付けないとき、当該端末位置情報を図示しないメモリから削除する。
【００３０】
なお、一定時間経過しても新たな位置情報の入力を受け付けない、すなわち、携帯端末から新たな位置情報が送信されない場合の一例としては、携帯端末の電源が切られた場合等が挙げられる。
【００３１】
参照状況管理部２２は、情報表示管理部２５から送出される端末識別情報及び患者識別情報の入力を受け付けると、当該入力を受け付けた端末識別情報及び患者識別情報を、参照状況管理部２２内の図示しないメモリに書込む（記録する）。すなわち、参照状況管理部２２は、図３に示すように、医用処理装置２にネットワーク３を介して接続されている携帯端末を識別するための端末識別情報と、これら携帯端末に現在表示されている医用情報が付帯情報として有する患者識別情報とが関連付けられた参照状況情報を管理（保持）する。
【００３２】
また、参照状況管理部２２は、既に保持する参照状況情報に含まれる端末識別情報により識別される携帯端末に関して、情報表示管理部２５から送出される新たな患者識別情報の入力を受け付けると、当該参照状況情報に含まれる患者識別情報を、当該入力を受け付けた新たな患者識別情報に更新する。
【００３３】
なお、端末位置保持部２１及び参照状況管理部２２は、例えば、端末管理部といった１つの機能部に共に含まれるとしても良い。
【００３４】
端末間距離計算部２３は、端末位置保持部２１内の図示しないメモリに保持される端末位置情報を読み出す。また、端末間距離計算部２３は、読み出した複数の端末位置情報に各々含まれる各位置情報に基づいて、複数の携帯端末１Ａ〜１Ｎ間の距離（端末間距離）を計算（算出）する。例えば、端末間距離計算部２３は、図２に示す３つの端末位置情報を読み出すと、これら端末位置情報に含まれる位置情報に基づいて、携帯端末１Ａ−１Ｂ間の距離と、携帯端末１Ｂ−１Ｎ間の距離と、携帯端末１Ｎ−１Ａ間の距離とを算出する。更に、端末間距離計算部２３は、前述のようにして算出した複数の携帯端末１Ａ〜１Ｎ間の距離を示す端末間距離情報を、どの携帯端末間の距離であるかを示すための２つの端末識別情報と共に、情報表示管理部２５に送出する。
【００３５】
グルーピング管理部２４は、情報表示管理部２５から送出されるグルーピング登録要求の入力を受け付けると、当該入力を受け付けたグルーピング登録要求に含まれる（付随する）複数の端末識別情報を、グループを識別するためのグループ識別情報と共に、グルーピング管理部２４内の図示しないメモリに書込む（記録する）。すなわち、グルーピング管理部２４は、図４に示すように、グループを識別するためのグループ識別情報と、グルーピングされた複数の携帯端末を各々識別するための各端末識別情報とが関連付けられたグルーピング情報を管理（保持）する。前述のようにして、グルーピング管理部２４は、グルーピング登録要求に付随する複数の端末識別情報により識別される携帯端末に対し、グルーピング処理を実行する。
【００３６】
また、グルーピング管理部２４は、情報表示管理部２５から送出されるグルーピング解除要求の入力を受け付けると、当該入力を受け付けたグルーピング解除要求に含まれる（付随する）端末識別情報を、当該端末識別情報を含むグルーピング情報から削除する。なお、グルーピング管理部２４は、グルーピング解除要求に伴う端末識別情報の削除により、所定のグルーピング情報に含まれる端末識別情報の数が１つになった場合、当該グルーピング情報自体を削除する。前述のようにして、グルーピング管理部２４は、グルーピング解除要求に付随する端末識別情報により識別される携帯端末に対して実行されたグルーピング処理を無効にする。
【００３７】
更に、グルーピング管理部２４は、情報表示管理部２５から送出されるグルーピング確認要求の入力を受け付けると、当該入力を受け付けたグルーピング確認要求に含まれる（付随する）端末識別情報を含むグルーピング情報が図示しないメモリに保持されているか否かを判定（確認）する（すなわち、グルーピング処理を実行した携帯端末が存在するか否かを判定する）。この判定の結果が保持されている旨を示すとき、グルーピング管理部２４は、前述のグルーピング確認要求に含まれる端末識別情報を含むグルーピング情報を情報表示管理部２５に送出する。
【００３８】
情報表示管理部２５は、携帯端末１Ａ〜１Ｎから送信された情報取得要求の入力を受け付けると、当該入力を受け付けた情報取得要求に含まれる（付随する）患者識別情報を付帯情報として有する医用情報を図示しないサーバ装置から取得し、当該取得した医用情報を、情報取得要求を送信した要求元である携帯端末（情報取得要求端末）に送信する。
【００３９】
また、情報表示管理部２５は、前述の情報取得要求を送信した携帯端末とグルーピングされた携帯端末が存在するか否かを確認したい旨のグルーピング確認要求を、当該情報取得要求を送信した携帯端末を識別するための端末識別情報と共に、グルーピング管理部２４に送出する。情報表示管理部２５は、前述のグルーピング確認要求に応じて、グルーピング管理部２４から送出されたグルーピング情報の入力を受け付けると、当該入力を受け付けたグルーピング情報に含まれる端末識別情報により識別される全ての携帯端末に、要求元である携帯端末が取得した医用情報を特定するための特定情報を送信する。
【００４０】
更に、情報表示管理部２５は、前述のようにして所定の携帯端末に医用情報を送信すると、当該医用情報を送信した携帯端末を識別するための端末識別情報と、当該医用情報が付帯情報として有する患者識別情報とを参照状況管理部２２に送出する。
【００４１】
また、情報表示管理部２５は、端末間距離計算部２３から送出された端末間距離情報の入力を受け付けると、当該入力を受け付けた端末間距離情報により示される所定の端末間の距離が予め設定された閾値未満であるか否かを判定する。この判定の結果が閾値未満である旨を示すとき、情報表示管理部２５は、前述のようにして入力を受け付けた端末間距離情報に含まれる（付随する）２つの端末識別情報を各々含む２つの参照状況情報を参照状況管理部２２から取得する。
【００４２】
情報表示管理部２５は、前述のようにして２つの参照状況情報を取得すると、当該取得した２つの参照状況情報に含まれる患者識別情報が同一であるか否かを判定する（すなわち、２つの携帯端末が同一の患者識別情報を有した医用情報を表示しているか否かを判定する）。この判定の結果が同一である旨を示すとき、情報表示管理部２５は、前述のようにして取得した２つの参照状況情報に各々含まれる端末識別情報により識別される携帯端末に、グルーピング処理の実行を提案するよう指示する。また、前述の判定の結果が否を示すとき、情報表示管理部２５は、前述のようにして取得した２つの参照状況情報に各々含まれる端末識別情報により識別される携帯端末に、異なる患者識別情報を付帯情報として有した医用情報を表示している携帯端末が近くに存在する旨を通知（警告）するよう指示する。
【００４３】
また、情報表示管理部２５は、携帯端末から送信されたグルーピング登録要求の入力を受け付けると、当該入力を受け付けたグルーピング登録要求を、当該グルーピング登録要求に含まれる（付随する）端末識別情報と共に、グルーピング管理部２４に送出する。更に、情報表示管理部２５は、携帯端末から送信されたグルーピング解除要求の入力を受け付けると、当該入力を受け付けたグルーピング解除要求を、当該グルーピング解除要求に含まれる（付随する）端末識別情報と共に、グルーピング管理部２４に送出する。なお、グルーピング解除要求は、携帯端末からの入力を受け付けなくとも、例えば、端末間距離計算部２３から送出された端末間距離情報により示される端末間距離が予め設定された閾値以上となったときに、情報表示管理部２５からグルーピング管理部２４に送出されるとしても良い。すなわち、情報表示管理部２５は、端末間距離情報により示される端末間距離が予め設定された閾値以上となったときに、当該端末間距離情報に付随する端末識別情報を含むグルーピング情報を削除させるためのグルーピング解除要求をグルーピング管理部２４に送出することもできる。
【００４４】
なお、上述した携帯端末１Ａ〜１Ｎ及び医用処理装置２は、それぞれ図示しないＣＰＵ（Central Processing Unit）を備えており、各部はこのＣＰＵによって制御されているものとする。
【００４５】
次に、以上のように構成された医用処理装置２による警告通知処理の一例について、図５のフローチャートを参照しながら説明する。但し、本動作例では、端末間距離計算部２３は、情報表示管理部２５に対して端末間距離情報を常時送出しているものと仮定する。また、以下に示す各種処理は、図示しないＣＰＵが予め記憶されたプログラムに従って各部を制御することで実行されるものである。
【００４６】
始めに、医用処理装置２内の情報表示管理部２５は、端末間距離計算部２３から送出された端末間距離情報の入力を受け付けると、当該入力を受け付けた端末間距離情報により示される端末間距離が予め設定された閾値未満であるか否かを判定する（ステップＳ１）。ここでは、情報表示管理部２５は、携帯端末１Ａ−１Ｂ間の距離を示す端末間距離情報と共に、これに付随する携帯端末１Ａ，１Ｂを各々識別するための２つの端末識別情報の入力を受け付けているものと仮定する。
【００４７】
なお、ステップＳ１の処理による判定の結果が否を示す場合（ステップＳ１のＮＯ）、本動作例での医用処理装置２の動作を終了させる。
【００４８】
ステップＳ１の処理による判定の結果が閾値未満である旨を示す場合（ステップＳ１のＹＥＳ）、情報表示管理部２５は、ステップＳ１の処理において入力を受け付けた端末間距離情報に付随する２つの端末識別情報を各々含む２つの参照状況情報を参照状況管理部２２から取得する（ステップＳ２）。
【００４９】
続いて、情報表示管理部２５は、ステップＳ２の処理において取得した２つの参照状況情報に含まれる患者識別情報が同一であるか否かを判定する（ステップＳ３）。
【００５０】
ステップＳ３の処理による判定の結果が同一である旨を示す場合（ステップＳ３のＹＥＳ）、情報表示管理部２５は、ステップＳ２の処理において取得した２つの参照状況情報に各々含まれる端末識別情報により識別される携帯端末に対して、グルーピング処理の実行を提案するよう指示し（ステップＳ４）、本動作例での医用処理装置２の動作を終了させる。
【００５１】
なお、ステップＳ４の処理に応じて、携帯端末１Ａ，１Ｂ内の情報表示管理部１３Ａ，１３Ｂは、グルーピング処理の実行を提案する旨のメッセージ情報を、情報表示部１２Ａ，１２Ｂを介して表示画面に表示させる。
【００５２】
また、ステップＳ３の処理による判定の結果が否を示す場合（ステップＳ３のＮＯ）、情報表示管理部２５は、ステップＳ２の処理において取得した２つの参照状況情報に各々含まれる端末識別情報により識別される携帯端末に対して、異なる患者識別情報を付帯情報として有した医用情報を表示している携帯端末が近くに存在する旨を通知するよう指示し（ステップＳ５）、本動作例での医用処理装置２の動作を終了させる。
【００５３】
なお、ステップＳ５の処理に応じて、携帯端末１Ａ，１Ｂ内の情報表示管理部１３Ａ，１３Ｂは、異なる患者識別情報を付帯情報として有した医用情報を表示している携帯端末が近くに存在する旨のメッセージ情報を、情報表示部１２Ａ，１２Ｂを介して表示画面に表示させる。
【００５４】
以上が、医用処理装置２による警告通知処理の一例に関する説明である。
【００５５】
続いて、以上のように構成された医用処理装置２による医用情報表示処理の一例について、図６のフローチャートを参照しながら説明する。但し、本動作例では、携帯端末１Ａが、所望の医用情報を取得したい旨の情報取得要求を医用処理装置２に送信したものと仮定する。なお、以下に示す各種処理は、前述と同様に、図示しないＣＰＵが予め記憶されたプログラムに従って各部を制御することで実行されるものである。
【００５６】
始めに、情報表示管理部２５は、携帯端末１Ａから送信された情報取得要求の入力を受け付けると、当該入力を受け付けた情報取得要求に付随する患者識別情報を付帯情報として有する医用情報を図示しないサーバ装置から取得し、当該医用情報を、当該情報取得要求を送信した要求元である携帯端末１Ａに対して送信する（ステップＳ１１）。
【００５７】
続いて、情報表示管理部２５は、ステップＳ１１の処理において入力を受け付けた情報取得要求に付随する端末識別情報を含むグルーピング情報をグルーピング管理部２４が保持しているのか否かを確認するために、グルーピング確認要求を当該端末識別情報と共にグルーピング管理部２４に送出する（ステップＳ１２）。
【００５８】
次に、グルーピング管理部２４は、ステップＳ１２の処理において送出されたグルーピング確認要求の入力を受け付けると、当該入力を受け付けたグルーピング確認要求に付随する端末識別情報を含むグルーピング情報を保持しているか否かを判定する（ステップＳ１３）。なお、ステップＳ１３の処理による判定の結果が否を示す場合（ステップＳ１３のＮＯ）、情報取得要求を送信した要求元である携帯端末１Ａにのみ医用情報を送信すればよく、要求元の携帯端末１Ａには、ステップＳ１１の処理により既に医用情報が送信されているため、本動作例での医用処理装置２の動作を終了させる。
【００５９】
ステップＳ１３の処理による判定の結果が保持している旨を示す場合（ステップＳ１３のＹＥＳ）、グルーピング管理部２４は、グルーピング確認要求に付随する端末識別情報を含むグルーピング情報を情報表示管理部２５に送出する（ステップＳ１４）。
【００６０】
しかる後、情報表示管理部２５は、ステップＳ１４の処理において送出されたグルーピング情報の入力を受け付けると、当該入力を受け付けたグルーピング情報に含まれる端末識別情報により識別される全ての携帯端末に、要求元である携帯端末１Ａが取得した医用情報を特定するための特定情報を送信し（ステップＳ１５）、本動作例での医用処理装置２の動作を終了させる。
【００６１】
なお、要求元である携帯端末１Ａは、ステップＳ１１の処理により医用処理装置２から送信された医用情報の入力を受け付けると、当該医用情報を、情報表示部１２Ａを介して表示画面に表示させる。また、要求元である携帯端末１Ａ以外の携帯端末であって、携帯端末１Ａとグルーピングされている携帯端末は、ステップＳ１５の処理により医用処理装置２から送信された特定情報の入力を受け付けると、当該特定情報を図示しないサーバ装置に送信して、携帯端末１Ａが取得した医用情報をサーバ装置から取得した後に、当該医用情報を、情報表示部を介して表示画面に表示させる。
【００６２】
以上が、医用処理装置２による医用情報表示処理の一例に関する説明である。
【００６３】
なお、本実施形態では、医用処理装置２が端末間距離計算部２３を含むことで前述した医用処理システムが実現するとしたが、これに限定されず、例えば、各携帯端末１Ａ〜１Ｎ間で相互通信を行い、各携帯端末１Ａ〜１Ｎにおいて相互に端末間距離を計算可能な機能部が各携帯端末１Ａ〜１Ｎに設けられることで、前述した医用処理システムが実現されるとしても良い。
【００６４】
また、本実施形態では、グルーピング処理の実行により、各携帯端末１Ａ〜１Ｎの表示画面に表示させる医用情報を互いに同期させることを実現させるとしたが、これに限定されず、例えば、各携帯端末１Ａ〜１Ｎの表示画面に表示させるマウスのポインタを同期させること、このポインタの相互操作を可能にすること、表示させる医用情報への特定の相互操作を可能にすること、等が更に実現されるとしても良い。
【００６５】
以上説明した一実施形態によれば、端末間距離計算部２３及び情報表示管理部２５を備えた構成により、携帯端末の現在位置に基づいて算出する端末間距離が所定の閾値未満であるときに、複数の携帯端末が異なる患者識別情報を有した医用情報を表示している場合、患者の取り違いに関して操作者に注意を促すよう各携帯端末に指示することができるので、携帯端末を使用して患者の医用情報や医用画像を参照する際に、当該携帯端末の操作者が患者を取り違えて認識することを防止することができる。
【００６６】
また、携帯端末の現在位置に基づいて算出する端末間距離が所定の閾値未満であるときに、複数の携帯端末が同一の患者識別情報を有した医用情報を表示している場合、グルーピング処理の実行を操作者に提案するよう指示することができるので、複数の携帯端末を連携して使用するといった価値の高い医用情報参照環境を各携帯端末の操作者に提供することができる。
【００６７】
更に、グルーピング管理部２４及び情報表示管理部２５を備えた構成により、グルーピング処理の実行及び無効を携帯端末の操作者の操作に従って行うことができるので、ユーザ好みの医用情報参照環境を各携帯端末の操作者に提供することができる。
【００６８】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１Ａ，１Ｂ，１Ｎ…携帯端末、２…医用処理装置、３…ネットワーク、１１Ａ，１１Ｂ，１１Ｎ…端末位置取得連絡部、１２Ａ，１２Ｂ，１２Ｎ…情報表示部、１３Ａ，１３Ｂ，１３Ｎ…情報表示管理部、２１…端末位置保持部、２２…参照状況管理部、２３…端末間距離計算部、２４…グルーピング管理部、２５…情報表示管理部。
【図１】
2015031985.tif 000003
【図２】
2015031985.tif 000004
【図３】
2015031985.tif 000005
【図４】
2015031985.tif 000006
【図５】
2015031985.tif 000007
【図６】
2015031985.tif 000008